(57)【要約】【課題】電子機器の内部部品を組み上げた後でもフレキシブル配線ケーブルをコネクタに容易に挿抜することができるフレキシブル配線ケーブルの挿抜構造およびこれを備えた電子機器を提供する。【解決手段】フレキシブル配線ケーブル８の端部に取り付けた補強板９と、コネクタ７Ａに設けられ、フレキシブル配線ケーブル８の端部がコネクタ７Ａに挿入された状態をロックするロック機構とを備え、ロック機構は、ボトムシャーシ３の側壁の孔部３ａから挿通されたロック解除用部材１５によって加えられたロック解除方向の力でロックが解除され、補強板９は、フレキシブル配線ケーブル８の端部がコネクタ７Ａに挿入された状態で、折り曲げ部９ａがボトムシャーシ３の側壁より高い位置になる長さを有する。【選択図】図４
2015230759.tif 000002
【特許請求の範囲】
【請求項１】
筐体内に収納された基板上のコネクタに挿抜するフレキシブル配線ケーブルの挿抜構造であって、
前記フレキシブル配線ケーブルの端部に取り付けた補強板と、
前記コネクタに設けられ、前記フレキシブル配線ケーブルの端部が前記コネクタに挿入された状態をロックするロック機構とを備え、
前記ロック機構は、
前記筐体の側壁の孔部から挿通されたロック解除用部材によって加えられたロック解除方向の力でロックが解除され、
前記補強板は、
前記フレキシブル配線ケーブルの端部が前記コネクタに挿入された状態で、一部が前記筐体の側壁より高い位置になる長さを有することを特徴とするフレキシブル配線ケーブルの挿抜構造。
【請求項２】
請求項１記載のフレキシブル配線ケーブルの挿抜構造を備えた電子機器。
【発明の詳細な説明】
【技術分野】
【０００１】
この発明は、フレキシブルフラットケーブル（以下、ＦＦＣと記載する）、フレキシブルプリント回路（以下、ＦＰＣと記載する）などのフレキシブル配線ケーブルをコネクタに挿抜するフレキシブル配線ケーブルの挿抜構造およびこれを備えた電子機器に関する。
【背景技術】
【０００２】
ＦＦＣやＦＰＣといったフレキシブル配線ケーブルは、複数の配線導体をフレキシブルなベースフィルムで支持して構成されている。このため、フレキシブル配線ケーブルは、薄く、自由に曲げることが可能であり、機器筐体内の狭い空間に通してコネクタ間を接続することができる。このためオーディオ機器やナビゲーション装置などの様々な電子機器に使用されている。
【０００３】
また、特許文献１には、ロック部材が端部に取り付けられたフレキシブル配線ケーブルが開示されている。このロック部材は、フレキシブル配線ケーブルと同等の幅を有した板状部材から構成されており、フレキシブル配線ケーブルの端部とともにコネクタの開口部に挿入される。これにより、ロック部材は、フレキシブル配線ケーブルの端部の露出した導体部をコネクタ内の接続端子に圧接させた状態で、フレキシブル配線ケーブルの端部をコネクタに接続固定する。
【先行技術文献】
【特許文献】
【０００４】
【特許文献１】特開２０００−１５００３１号公報
【発明の概要】
【発明が解決しようとする課題】
【０００５】
コネクタには、ロック片によってフレキシブル配線ケーブルの導体部をコネクタ内の接続端子に圧接させて固定（ロック）するロック機構を有するものがある。
フレキシブル配線ケーブルの端部をコネクタの開口部に挿入する際に、作業者は、この端部を把持してコネクタの開口部に押し込むように嵌入させる。このとき、フレキシブル配線ケーブルの端部によってロック片が動き、このロック片により上記導体部がコネクタ内の接続端子に圧接されてロックされる。
なお、ロックを解除するには、ロック片に外力を加えて解除方向に動かす必要がある。
【０００６】
このようにフレキシブル配線ケーブルを上記コネクタに挿抜する場合は、フレキシブル配線ケーブルの端部を把持するスペースが必要であり、かつロック片を解除方向に動かす外力を加える必要がある。このため、電子機器の内部部品を一度組み上げると、フレキシブル配線ケーブルの端部を把持するスペースがなくなり、さらにロック片を解除方向に動かす外力を加えることができなくなるので、フレキシブル配線ケーブルの挿抜が困難になるという課題があった。
【０００７】
また、特許文献１の発明においても、フレキシブル配線ケーブルの端部を把持してロック部材とともにコネクタに嵌入する。従って、上記と同様に、電子機器の内部部品を一度組み上げてしまうと、フレキシブル配線ケーブルの挿抜が困難になる。
【０００８】
この発明は、上記のような課題を解決するためになされたもので、電子機器の内部部品を組み上げた後でもフレキシブル配線ケーブルをコネクタに容易に挿抜することができるフレキシブル配線ケーブルの挿抜構造およびこれを備えた電子機器を得ることを目的とする。
【課題を解決するための手段】
【０００９】
この発明に係るフレキシブル配線ケーブルの挿抜構造は、筐体内に収納された基板上のコネクタに挿抜するフレキシブル配線ケーブルの挿抜構造であって、フレキシブル配線ケーブルの端部に取り付けた補強板と、コネクタに設けられ、フレキシブル配線ケーブルの端部がコネクタに挿入された状態をロックするロック機構とを備え、ロック機構は、筐体の側壁の孔部から挿通されたロック解除用部材によって加えられたロック解除方向の力でロックが解除され、補強板は、フレキシブル配線ケーブルの端部がコネクタに挿入された状態で、一部が筐体の側壁より高い位置になる長さを有することを特徴とする。
【発明の効果】
【００１０】
この発明によれば、電子機器の内部部品を組み上げた後でもフレキシブル配線ケーブルをコネクタに容易に挿抜することができるという効果がある。
【図面の簡単な説明】
【００１１】
【図１】この発明の実施の形態１に係るフレキシブル配線ケーブルの挿抜構造を備えたディスク装置を示す斜視図である。
【図２】図１のディスク装置の分解斜視図である。
【図３】実施の形態１に係るフレキシブル配線ケーブル、補強板およびコネクタを示す図である。
【図４】実施の形態１に係るフレキシブル配線ケーブルの挿抜構造の概要を示す図である。
【発明を実施するための形態】
【００１２】
実施の形態１．
図１は、この発明の実施の形態１に係るフレキシブル配線ケーブルの挿抜構造を備えたディスク装置１を示す斜視図である。また、図２は、図１のディスク装置１の分解斜視図である。本発明に係る電子機器の筐体は、複数の筐体部材を組み合わせて構成される。例えば、図１に示すように、ディスク装置１では、トップカバー２、ボトムシャーシ３、フロントシャーシ４およびリアシャーシ５を組み合わせて筐体が構成されている。ボトムシャーシ３の側壁には、貫通孔である孔部３ａが形成されている。
【００１３】
ディスク装置１は、内部構成として、例えば、図２に示すように、基板６，１３、ブラケット１０，１２、メカドライブ１１を備える。基板６は、ボトムシャーシ３の底面側に配置される基板であり、例えば、ボス３ｂにねじ止めなどで固定される。また、基板６には、コネクタ７Ａが実装される。コネクタ７Ａは、フレキシブル配線ケーブル８の端部が装着されるコネクタであり、ボトムシャーシ３の側壁に面した基板６の外縁部に実装される。補強板９が端部に取り付けられたフレキシブル配線ケーブル８は、このコネクタ７Ａに装着される。なお、ボトムシャーシ３に基板６が組み付けられた状態で、コネクタ７Ａのロック片７Ａ−１は、ボトムシャーシ３の側壁に形成された孔部３ａに面した位置となる。
【００１４】
また、コネクタ７Ａは、フレキシブル配線ケーブル８の端部が挿入された状態をロックするロック機構を備える。ここでは、ロック片７Ａ−１がフレキシブル配線ケーブル８をロックする。ロック片７Ａ−１は、コネクタ７Ａの開口部に回動自在に取り付けられており、フレキシブル配線ケーブル８の端部が挿入された際の挿入力によって回動する。これにより、ロック片７Ａ−１は、フレキシブル配線ケーブル８の端部に露出した導体部を、コネクタ７Ａ内の接続端子に圧接させた状態をロック（固定）する。
【００１５】
メカドライブ１１は、ＣＤやＤＶＤなどの記録メディアに記録されたメディアデータを再生する内部部品であり、ブラケット１０を介して基板６の上方に組み付けられる。ブラケット１０は、例えばフロントシャーシ４およびリアシャーシ５に取り付けられる。
基板１３は、トップカバー２側に配置される基板であり、ブラケット１２のボス１２ａにねじ止めなどで固定される。ブラケット１２は、例えばフロントシャーシ４およびリアシャーシ５に取り付けられる。また、基板１３にはコネクタ１４が実装される。
コネクタ１４は、フレキシブル配線ケーブル８のもう一方の端部が装着されるコネクタであり、例えばボトムシャーシ３の側壁に面した基板１３の外縁部に実装される。
【００１６】
基板６は、コネクタ７Ａにフレキシブル配線ケーブル８が装着された状態でボトムシャーシ３に組み付けられ、その上方に、ブラケット１０、メカドライブ１１、ブラケット１２、基板１３が順次組み付けられる。これらの内部部品の組み付けが完了してからトップカバー２を取り付けることにより、図１に示すディスク装置１が組み上がる。
【００１７】
図３は、実施の形態１に係るフレキシブル配線ケーブル８、補強板９およびコネクタ７Ａを示す図である。図３（ａ）に示すように、フレキシブル配線ケーブル８は、その端部に補強板９が取り付けられ、補強板９とともにコネクタ７Ａの開口部に挿入されて装着される。またフレキシブル配線ケーブル８のもう一方の端部はコネクタ１４に装着される。
【００１８】
フレキシブル配線ケーブル８は、フレキシブルなベースフィルムにより複数の配線導体を支持して構成されたケーブルであり、配線導体が幅方向に配列されたＦＦＣまたは配線導体からなる回路が印刷されたＦＰＣなどが挙げられる。フレキシブル配線ケーブル８の端部には導体部が露出しており、これに隣接した接着部に補強板９が接着されて取り付けられる。
【００１９】
補強板９は、剛性を有した樹脂などの絶縁材料から構成され、図３（ａ）に示すように、フレキシブル配線ケーブル８とほぼ同様な幅を有する板状部材である。また、補強板９は、フレキシブル配線ケーブル８に取り付けられた端部とは反対側の端部を折り曲げて形成した折り曲げ部９ａを有する。
本発明の１つの特徴は補強板９の長さが延長されていることにある。すなわち本発明に係る補強板９は、ボトムシャーシ３に内部部品を組み付けたときに、折り曲げ部９ａがボトムシャーシ３の側壁より高い位置になる長さを有する。なお、補強板９の長さは、基板６を組み付けたときに、作業者が折り曲げ部９ａを把持することができる高さになる長さであればよい。
【００２０】
また、コネクタ７Ａは、フレキシブル配線ケーブル８の端部が挿入された状態をロックするロック機構を備えたコネクタであり、ロック片７Ａ−１およびコネクタ本体部７Ａ−２を備える。ロック片７Ａ−１は、上述したようにコネクタ本体部７Ａ−２の開口縁部に回動自在に支持されている。補強板９とともにフレキシブル配線ケーブル８の端部が開口部に挿入されると、図３（ｂ）に示すように、その挿入方向ａの力によってロック片７Ａ−１が回動する。これにより、ロック片７Ａ−１の当たり部７Ａ−３が補強板９を介してフレキシブル配線ケーブル８の端部を押圧し、その端部に露出した導体部をコネクタ７Ａ内の接続端子に圧接した状態となってロック（固定）される。
【００２１】
ロック片７Ａ−１によるロックを解除するには、図３（ｃ）に示すようにロック片７Ａ−１に力を加えて矢印方向ｂに回動させる。これにより、当たり部７Ａ−３による押圧が解除され、補強板９とともにフレキシブル配線ケーブル８の端部を容易にコネクタ７Ａの開口部から取り外すことができる。
【００２２】
図４は、実施の形態１に係るフレキシブル配線ケーブル８の挿抜構造の概要を示す図であり、リアシャーシ５を取り外して内部部品を組み上げたボトムシャーシ３の内部を視認できるように記載している。なお、ブラケット１０，１２は記載を省略している。
図４（ａ）に示す構成は補強板９を有さないフレキシブル配線ケーブル８を用いた場合の構成である。フレキシブル配線ケーブル８は、その端部の導体部がコネクタ７Ａ内の接続端子に圧接された状態で装着される。このため、フレキシブル配線ケーブル８の端部をコネクタ７Ａに装着するには、作業者が、この端部を把持してコネクタ７Ａの開口部に押し込むように嵌入させる必要がある。
しかし、図４（ａ）に示すようにボトムシャーシ３に内部部品を組み上げてしまうと、作業者がフレキシブル配線ケーブル８の端部を把持するスペース、および、コネクタ７Ａのロック機構を解除するスペースがない。
このため、従来では、ボトムシャーシ３に内部部品を組み上げた後に、フレキシブル配線ケーブル８を交換する場合、フレキシブル配線ケーブル８の端部を把持できるスペースが確保されるまで内部部品を順に取り外していた。
【００２３】
これに対して、本発明では、ボトムシャーシ３に基板６が組み付けられた状態で、コネクタ７Ａのロック片７Ａ−１が、ボトムシャーシ３の側壁に形成された孔部３ａに面している。そこで、図４（ｂ）に示すように、ロック解除用部材１５を孔部３ａに挿通して、図４（ｃ）に示すように、その先端部でロック片７Ａ−１をロック解除方向（ａ方向）に力を加える。これによりロック片７Ａ−１によるフレキシブル配線ケーブル８のロックが解除される。なお、ロック解除用部材１５には、マイナスドライバーなどの汎用の工具を用いてよい。
【００２４】
コネクタ７Ａのロックを解除した後、作業者が折り曲げ部９ａを摘まんでコネクタ７Ａから離間する方向に力を加えれば、補強板９とともにフレキシブル配線ケーブル８を容易にコネクタ７Ａから取り外すことが可能である。
また、フレキシブル配線ケーブル８をコネクタ７Ａに装着する場合は、ボトムシャーシ３に内部部品を組み上げた状態のままフレキシブル配線ケーブル８の端部をコネクタ７Ａの開口部にあてがう。そして、折り曲げ部９ａをコネクタ７Ａの方向に力を加えることにより、補強板９とともにフレキシブル配線ケーブル８を容易にコネクタ７Ａに挿入することが可能である。このとき、コネクタ７Ａのロック機構が働いてフレキシブル配線ケーブル８の端部がコネクタ７Ａにロックされる。
このように、本発明では、折り曲げ部９ａが作業者によって把持できる位置にくる長さの補強板９を用いることで、内部部品を順に取り外さなくても容易にコネクタ７Ａにフレキシブル配線ケーブル８を挿抜できる。
【００２５】
以上のように、この実施の形態１によれば、フレキシブル配線ケーブル８の端部に取り付けた補強板９と、コネクタ７Ａに設けられ、フレキシブル配線ケーブル８の端部がコネクタ７Ａに挿入された状態をロックするロック機構とを備え、ロック機構は、ボトムシャーシ３の側壁の孔部３ａから挿通されたロック解除用部材１５によって加えられたロック解除方向の力でロックが解除され、補強板９は、フレキシブル配線ケーブル８の端部がコネクタ７Ａに挿入された状態で、折り曲げ部９ａがボトムシャーシ３の側壁より高い位置になる長さを有する。このように構成することで、ディスク装置１の内部部品を組み上げた後であっても、孔部３ａを介してロック解除用部材１５によってコネクタ７Ａのロックを解除して、作業者が補強板９の折り曲げ部９ａを把持して挿抜方向の力を加えることができる。これにより補強板９の折り曲げ部９ａに力を加えてフレキシブル配線ケーブル８をコネクタ７Ａに容易に挿抜することができる。
【００２６】
なお、本発明はその発明の範囲内において、実施の形態の任意の構成要素の変形、もしくは実施の形態の任意の構成要素の省略が可能である。
【符号の説明】
【００２７】
１  ディスク装置、２  トップカバー、３  ボトムシャーシ、３ａ，１２ａ  ボス、４  フロントシャーシ、５  リアシャーシ、６，１３  基板、７Ａ，１４  コネクタ、７Ａ−１  ロック片、７Ａ−２  コネクタ本体部、７Ａ−３  当たり部、８  フレキシブル配線ケーブル、９  補強板、９ａ  折り曲げ部、１０，１２  ブラケット、１１  メカドライブ、１５  ロック解除用部材。
【図１】
2015230759.tif 000003
【図２】
2015230759.tif 000004
【図３】
2015230759.tif 000005
【図４】
2015230759.tif 000006